(57)【要約】【課題】  圧縮機の内部で加熱されたり、ガスや器具部から飛散したオイルを多量に含む冷媒ガスが圧縮室内に流入するのを遮断するスクロール圧縮機の固定スクロールの提供。【解決手段】  スクロール本体（１０）の下面にはインボリュート形状のラップ（１１）が、内部には圧縮室（１２）が形成され、ラップの外側の周りにはフランジ部（２０）が形成され、フランジ部の下面にはメインフレームの上面に結合される複数の脚部が形成される。フランジ部の下面から流入する吸入ガスをラップの先端に誘導して圧縮室に流入せしめる遮断誘導部（４０）を備え、遮断誘導部は圧縮室の先端に対応するラップの外部面と脚部の内側面の間に一体形成される第１遮断壁（４１）とラップの先端外部面と脚部の内側面の間に一体形成される第２遮断壁（４２）とで構成され、第１、２遮断壁の形成されない脚部の内側面とラップの外部面の間には補強リブ（５０）が一体形成されている。【選択図】      図４
2006283751.tif 000002
【特許請求の範囲】
【請求項１】
下面にインボリュート形状のラップが形成されており、内部に圧縮室を有するスクロール本体と、
前記ラップの外側の周りに形成されたフランジ部と、
前記フランジ部の下面に形成され、前記フランジ部の下面に形成され、メインフレームの上面に結合される複数の脚部と、
前記フランジ部の下面から流入する吸入ガスを前記ラップの先端に誘導して、前記圧縮室に流入させしめる遮断誘導部と、を具備する、
ことを特徴とするスクロール圧縮機の固定スクロール。
【請求項２】
前記遮断誘導部は、
前記圧縮室の先端に対応する前記ラップの外部面と前記脚部の内側面の間に一体に形成される第１遮断壁と、
前記ラップの先端外部面と前記脚部の内側面の間に一体に形成される第２遮断壁と、で構成されている、
ことを特徴とする請求項１に記載のスクロール圧縮機の固定スクロール。
【請求項３】
前記第１及び第２遮断壁の形成された前記脚部を除いた残りの脚部の内側面と前記ラップの外部面の間には補強リブが一体に形成されている、ことを特徴とする請求項２に記載のスクロール圧縮機の固定スクロール。
【請求項４】
前記第１遮断壁には流入される冷媒ガスをラップの先端に案内するガイド溝が形成されている、ことを特徴とする請求項２または３に記載のスクロール圧縮機の固定スクロール。
【請求項５】
前記ガイド溝は、凹んだ円弧形に形成されている、ことを特徴とする請求項４に記載のスクロール圧縮機の固定スクロール。
【請求項６】
前記第１及び第２遮断壁は、前記ラップ及び脚部と同一な高さに形成されていることを特徴とする請求項２に記載のスクロール圧縮機の固定スクロール。
【請求項７】
吸入管と吐出管とを有する密閉されたシェルと、
前記シェル内で駆動部によって回転される回転軸と、
前記回転軸の上端に結合されて旋回する旋回スクロールと、
前記旋回スクロールと噛合って、吸入された冷媒ガスを圧縮する固定スクロールと、を具備し、
前記固定スクロールは、下面にインボリュート形状のラップが形成され、内部には圧縮室が形成され、前記ラップの外部の周りには複数の脚部が形成されており、吸入管を介して流入する冷媒ガスを前記圧縮室の先端に誘導する遮断誘導部を備えている、
ことを特徴とするスクロール圧縮機。
【請求項８】
前記遮断誘導部は、
前記圧縮室の先端に対応する前記ラップの外部面と前記脚部の内側面の間に一体に形成される第１遮断壁と、
前記ラップの先端の外部面と前記脚部の内側面の間に一体に形成される第２遮断壁とで、構成されている、
ことを特徴とする請求項７に記載のスクロール圧縮機。
【請求項９】
前記第１及び第２遮断壁の形成された前記脚部を除いた残りの脚部の内側面と前記ラップの外部面の間には補強リブが一体に形成されていることを特徴とする請求項８に記載のスクロール圧縮機。
【請求項１０】
前記第１遮断壁には流入される冷媒ガスをラップの先端に案内するガイド溝が形成されていることを特徴とする請求項８または９に記載のスクロール圧縮機。
【請求項１１】
前記ガイド溝は、凹んだ円弧形に形成されている、ことを特徴とする請求項１０に記載のスクロール圧縮機。
【請求項１２】
前記第１及び第２遮断壁は、前記ラップ及び脚部と同一な高さに形成されている、ことを特徴とする請求項８に記載のスクロール圧縮機。
【発明の詳細な説明】
【技術分野】
【０００１】
本発明は、スクロール圧縮機に関するもので、より詳細には、圧縮機内で加熱された冷媒ガスが圧縮室内に流入されるのを遮断するスクロール圧縮機の固定スクロールに関するものである。
【背景技術】
【０００２】
図１は従来のスクロール圧縮機を示した要部縦断面図で、図２は図１に図示した固定スクロールを示した斜視図で、図３は図２に図示した固定スクロールの底面斜視図である。図１及び図２と図３に図示された矢印は、冷媒ガスの流動方向を表示したものである。
【０００３】
ここに示したように、従来のスクロール圧縮機は、密閉された空間を形成し、吸入管１０１及び吐出管１０２とを有するシェル１００と、シェル１００の内側の上部に配置され、冷媒ガスを圧縮する圧縮部２００と、圧縮部２００を駆動させる回転軸３００とを具備する。
【０００４】
圧縮部２００は、メインフレーム４００の上面に具備され、また回転軸３００の上端に結合されて旋回運動をする旋回スクロール２０１と、旋回スクロール２０１と噛合って、吸入される冷媒ガスを圧縮する固定スクロール２０２とで構成される。
【０００５】
並びに、固定スクロール２０２は、下面にインボリュート形状のラップ２０３ａが形成されており、内部に圧縮室２０３ｂを有するスクロール本体２０３と、スクロール本体２０３の外側の周りに形成されたフランジ部２０４と、ラップ２０３ａの外側の周りであるフランジ部２０４の下面に形成されており、メインフレーム４００の上面に結合される複数の脚部２０５とで構成される。
【０００６】
このように構成されたスクロール圧縮機では、吸入管１０１を介してシェル１００の内部に流入された冷媒ガスが、メインフレーム４００の一側に形成された吸入バッフル４０１にぶつかりながら、その一部は圧縮部２００側に移動し、残りはシェル１００の下部側に移動してシェル１００の内部で流動することになる。
【０００７】
吸入バッフル４０１によって上昇された冷媒ガスは、固定スクロール２０２のフランジ部２０４の下面に沿って流動しながら、ラップ２０３ａの先端を介して圧縮室２０３ｂに流入される。
並びに、吸入バッフル４０１にぶつかってシェル１００の下部側に移動した吸入ガスも、シェル１００の内部を流動しながら加熱された後、図２に図示された矢印のように、フランジ部２０４の下面に沿って流動しながら、ラップ２０３ａの先端を介して圧縮室２０３ｂに流入される。
【０００８】
しかし、のような従来のスクロール圧縮機では、吸入バッフルによって上昇された冷媒ガスが直に圧縮室に流入されず、フランジ部の下面に沿って循環して加熱された後、ラップの先端を介して圧縮室に流入されることによって、加熱された冷媒ガスの流入により圧縮機の体積効率が著しくおち、圧縮機の全体的な性能が低下するという問題点があった。
【０００９】
また、シェルの内部で流動して加熱される冷媒ガスは、器具部から飛散されたオイルを多量に含有しているので、圧縮機の油吐出量を増加させるという問題点があった。
【発明の開示】
【発明が解決しようとする課題】
【００１０】
そこで、本発明は、のような従来の諸般問題点を解消するために案出されたもので、本発明の目的は、圧縮機の内部で加熱された冷媒ガスや器具部から飛散されたオイルを多量に含有した冷媒ガスが圧縮室内に流入されるのを遮断するスクロール圧縮機の固定スクロールを提供することにある。
また、本発明の他の目的は、別途の追加的な部材を装着することなく、固定スクロールに対する簡単な形状加工で、加熱された冷媒ガスの遮断が円滑になされるようにするスクロール圧縮機の固定スクロールを提供することにある。
また、本発明の他の目的は、補強リブを介して強性がより増進されるようにするスクロール圧縮機の固定スクロールを提供することにある。
【課題を解決するための手段】
【００１１】
このような本発明の目的を達成するために、本発明によるスクロール圧縮機の固定スクロールは、下面にインボリュート形状のラップが形成されており、内部に圧縮室を有するスクロール本体と、ラップの外側の周りに形成されたフランジ部の下面に形成されており、メインフレームの上面に結合される複数の脚部と、フランジ部の下面から流入される吸入ガスをラップの先端に誘導して圧縮室に流入させる遮断誘導部とを含んでいることを特徴とする。
【００１２】
また、遮断誘導部は、圧縮室の先端に対応するラップの外部面と脚部の内側面の間に一体に形成される第１遮断壁と、ラップの先端外部面と脚部の内側面の間に一体に形成される第２遮断壁とで構成されていることを特徴とする。
また、第１及び第２遮断壁の形成された脚部を除いた残りの脚部の内側面とラップの外部面の間には補強リブが一体に形成されていることを特徴とする。
また、第１及び第２遮断壁は、ラップ及び脚部と同一な高さに形成されていることを特徴とする。
また、第１遮断壁から流入される冷媒ガスをラップの先端に案内するガイド溝が形成されていることを特徴とする。
【発明の効果】
【００１３】
上述したように、本発明は、圧縮機の内部で加熱された冷媒ガスや器具部から飛散したオイルを多量含有した冷媒ガスが圧縮室に流入されるのを遮断することによって、冷媒ガスのより安定的な吸入がなされ、体積効率の向上によって、圧縮機の効率が上昇され、過度なオイルの吸入が防止されて、圧縮機の油吐出量が減少されるという効果を有する。
【００１４】
また、本発明は、別途の追加的な部材を装着することなく、簡単な形状加工にて、冷媒ガスの吸入と加熱された冷媒ガスの遮断が円滑になされるようにすることによって、製作が簡便で、製造単価が低廉になるという効果を有する。
また、本発明は、補強リブを介して強性がより増進されるようにすることによって、固定スクロールの強性補完がより容易になされるという効果を有する。
【発明を実施するための最良の形態】
【００１５】
以下、添付の図面を参照して、本発明によるスクロール圧縮機の固定スクロールを詳細に説明する。
図４は、本発明の第１実施例を示した底面斜視図である。図示のように、スクロール圧縮機の固定スクロールは、下面にインボリュート形状のラップ１１が形成されており、内部に圧縮室１２を有するスクロール本体１０と、スクロール本体１０の外側の周りに形成されたフランジ部２０と、ラップ１１の外側の周りであるフランジ部２０の下面に形成されており、メインフレームの上面に結合される複数の脚部３０と、フランジ部２０と脚部３０の間に形成された遮断誘導部４０とで構成される。
【００１６】
遮断誘導部４０は、フランジ部２０の下面に流入される冷媒ガスが、フランジ部２０の下面に沿って循環されるのを遮断しながら、スクロール本体１０のラップ１１の先端に誘導して圧縮室１２に流入させるもので、圧縮室１２の先端に対応するラップ１１の外部面と脚部３０の内側面の間に一体に形成される第１遮断壁４１と、ラップ１１の先端外部面と脚部３０の内側面の間に一体に形成される第２遮断壁４２とで構成される。
【００１７】
第１遮断壁４１と第２遮断壁４２は、ラップ１１及び脚部３０と同一な高さに形成されるのが好ましい。第１遮断壁４１と第２遮断壁４２は、ラップ１１の先端に向かって流入される冷媒ガスが、フランジ部２０の下面に沿って循環されないように遮断して、ラップ１１の間に形成された圧縮室１２に円滑に流入するようにするものである。
【００１８】
このように、ラップ１１の先端に対応するフランジ部２０と、脚部３０の間に第１遮断壁４１と第２遮断壁４２とを形成することによって、フランジ部２０の下面の一側から流入する冷媒ガスは、フランジ部２０の下面に沿って循環することはなく、直にラップ１１の先端を介して圧縮室１２に流入し、同時に圧縮機の内部で加熱された冷媒ガスが圧縮室１２に流入するのが防止される。
【００１９】
また、フランジ部２０は、シェルの内部の高圧と低圧を分離するように、シェルの内部面に密着されるのが好ましい。これによって、フランジ部がシェルの内部面に密着して、シェルの内部上下を相互密閉させる。このように、シェルの内部上下がフランジ部２０により相互密閉されることによって、固定スクロールの上面に吐出される高圧の冷媒ガスと、シェルの内部に流入される低圧の冷媒ガスとを分離するために、固定スクロールの上面の周りとシェルの内部面の間に別途に設置される高低圧分離板が不要になる。
【００２０】
図５は、本発明の第２実施例を示した底面斜視図である。ここに示したように、スクロール圧縮機の固定スクロールは、下面にインボリュート形状のラップ１１が形成されており、内部に圧縮室１２を有するスクロール本体１０と、スクロール本体１０の外側の周りに形成され、シェル内部の高低圧を分離するフランジ部２０と、ラップ１１の外側の周りであるフランジ部２０の下面に形成されており、メインフレームの上面に装着される複数の脚部３０と、フランジ部２０と脚部３０の間に形成された遮断誘導部４０とで構成される。
【００２１】
遮断誘導部４０は、フランジ部２０の下面に流入される冷媒ガスが、フランジ部２０の下面に沿って循環されるのを遮断しながら、スクロール本体１０のラップ１１の先端に誘導して圧縮室１２に流入させるもので、圧縮室１２の先端に対応するラップ１１の外部面と脚部３０の内側面の間に一体に形成される第１遮断壁４１と、ラップ１１の先端外部面と脚部３０の内側面の間に一体に形成される第２遮断壁４２とで構成される。
【００２２】
第１遮断壁４１と第２遮断壁４２は、ラップ１１及び脚部３０と同一な高さに形成されるのが好ましい。第１遮断壁４１と第２遮断壁４２は、ラップ１１の先端に向かって流入される冷媒ガスが、フランジ部２０の下面に沿って循環されないように遮断して、ラップ１１の間に形成された圧縮室１２に円滑に流入されるようにするものである。
【００２３】
そして、第１遮断壁４１及び第２遮断壁４２の形成された脚部３０を除いた残りの脚部３０の内側面とラップ１１の外部面の間には補強リブ５０が一体に形成される。補強リブ５０は、ラップ１１と脚部３０の間を円滑に支持して、全体的に固定スクロールの強性を増進させる役割をする。
【００２４】
図６は、本発明の第３実施例を示した底面斜視図である。ここに示したように、スクロール圧縮機の固定スクロールは、下面にインボリュート形状のラップ１１が形成されており、内部に圧縮室１２を有するスクロール本体１０と、スクロール本体１０の外側の周りに形成され、シェル内部の高低圧を分離するフランジ部２０と、ラップ１１の外側の周りであるフランジ部２０の下面に形成されており、メインフレームの上面に結合される複数の脚部３０と、フランジ部２０と脚部３０の間に形成された遮断誘導部４０とで構成される。
【００２５】
遮断誘導部４０は、フランジ部２０の下面に流入される冷媒ガスが、フランジ部２０の下面に沿って循環されるのを遮断しながら、スクロール本体１０のラップ１１の先端に誘導して圧縮室１２に流入させるもので、圧縮室１２の先端に対応するラップ１１の外部面と脚部３０の内側面の間に一体に形成される第１遮断壁４１と、ラップ１１の先端外部面と脚部３０の内側面の間に一体に形成される第２遮断壁４２と、圧縮室１２の先端に対応する第１遮断壁４１の外部面に形成されるガイド溝４３とで構成される。
【００２６】
第１遮断壁４１と第２遮断壁４２は、ラップ１１及び脚部３０と同一な高さに形成されるのが好ましい。ガイド溝４３は、ラップ１１の先端に向かって流入される冷媒ガスがラップ１１の先端に円滑に流動されるように凹んだ円弧部を形成する。第１遮断壁４１及び第２遮断壁４２の形成された脚部３０を除いた残りの脚部３０の内側面とラップ１１の外部面の間には補強リブ５０が一体に形成される。
【図面の簡単な説明】
【００２７】
【図１】従来のスクロール圧縮機を示した要部縦断面図である。
【図２】図１に図示した固定スクロールを示した斜視図である。
【図３】図２に図示した固定スクロールの底面斜視図である。
【図４】本発明の第１実施例を示した底面斜視図である。
【図５】本発明の第２実施例を示した底面斜視図である。
【図６】本発明の第３実施例を示した底面斜視図である。
【符号の説明】
【００２８】
スクロール本体１０
ラップ１１
圧縮室１２
フランジ部２０
脚部３０
遮断誘導部４０
第１遮断壁４１
第２遮断壁４２
ガイド溝４３
補強リブ５０
【図１】
2006283751.tif 000003
【図２】
2006283751.tif 000004
【図３】
2006283751.tif 000005
【図４】
2006283751.tif 000006
【図５】
2006283751.tif 000007
【図６】
2006283751.tif 000008